(57)【特許請求の範囲】
【請求項１】
試薬を収納する試薬容器を載置する載置部と、
前記載置部における前記試薬容器の載置位置を表示する画像を生成する画像生成手段と、
前記画像を表示画面に表示する表示手段と、
前記載置部を移動させる移動手段と、
前記載置部における前記試薬容器の載置位置と前記画像が表示する前記載置部における前記試薬容器の載置位置が一致するように前記載置部を移動させる移動制御手段と、
を具備する自動分析装置。
【請求項２】
試薬を収納する試薬容器を載置する試薬ディスクと、
前記試薬ディスクにおける試薬容器を示す画像を生成する画像生成手段と、
前記画像を表示画面に表示する表示手段と、
前記試薬ディスクを移動させる移動手段と、
前記試薬ディスクにおける前記試薬容器の載置位置と前記画像が表示する前記載置部における前記試薬容器の載置位置が一致するように前記試薬ディスクを移動させる移動制御手段と、
を具備することする自動分析装置。
【請求項３】
検体試料に対する測定項目を設定する測定項目設定手段と、
前記測定項目に基づいて前記検体試料に対する分析測定を行うために前記試薬容器に収納される前記試薬を前記検体試料と混合させる反応容器に分注する分注手段とをさらに備え、
前記画像生成手段は、前記分注手段が前記測定項目に基づいた所定の前記試薬を前記反応容器に分注し終えた時点での前記載置部又は前記試薬ディスクの前記初期位置からの移動に関する情報及び前記載置位置情報に基づき、移動後の前記載置部又は試薬ディスクにおける前記試薬容器の載置位置を示す画像を生成し、前記表示手段が前記表示画面に前記画像を表示する、
ことを特徴とする請求項１又は請求項２に記載の自動分析装置。
【請求項４】
前記表示手段に前記画像の更新を指示する更新指示手段をさらに備え、
前記更新指示手段より前記画像の更新が指示されたとき、その時点で前記分注手段が実行している前記測定項目の分注が終了後、前記画像生成手段はその時点での前記載置部又は前記試薬ディスクにおける前記試薬容器の載置位置を示す画像を生成し、前記表示手段が前記画像を表示することを特徴とする請求項３に記載の自動分析装置。
【請求項５】
検体試料に対する測定項目を設定する測定項目設定手段と、
前記測定項目に基づいて前記検体試料に対する分析測定を行うために前記試薬容器に収納される前記試薬を前記検体試料と混合させる反応容器に分注する分注手段とをさらに備え、
前記画像生成手段は、設定される前記測定項目に基づき前記分注手段が分注を開始後、一定時間経過毎に、その時点での前記初期位置からの移動に関する情報及び前記載置位置情報に基づき、移動後の前記載置部又は前記試薬ディスクにおける前記試薬容器の載置位置を示す画像を生成し、前記表示手段が前記画像を表示する、
ことを特徴とする請求項１又は請求項２に記載の自動分析装置。
【請求項６】
検体試料に対する測定項目を設定する測定項目設定手段と、
前記測定項目に基づいて前記検体試料に対する分析測定を行うために前記試薬容器に収納される前記試薬を前記検体試料と混合させる反応容器に分注する分注手段とをさらに備え、
前記画像生成手段は、設定される前記測定項目に基づき前記分注手段が分注を開始後、前記載置部又は前記試薬ディスクが一定の回数移動する毎に、その時点での前記初期位置からの移動に関する情報及び前記載置位置情報に基づき、移動後の前記載置部又は前記試薬ディスクにおける前記試薬容器の載置位置を示す画像を生成し、前記表示手段が前記画像を表示する、
ことを特徴とする請求項１又は請求項２に記載の自動分析装置。
【請求項７】
検体試料に対する測定項目を設定する測定項目設定手段と、
前記測定項目に基づいて前記検体試料に対する分析測定を行うために前記試薬容器に収納される前記試薬を前記検体試料と混合させる反応容器に分注する分注手段とをさらに備え、
前記画像生成手段は、設定される前記測定項目に基づき前記分注手段が分注を開始後、前記載置部又は前記試薬ディスクが一定の度合い移動する毎に、その時点での前記初期位置からの移動に関する情報及び前記載置位置情報に基づき、移動後の前記載置部又は前記試薬ディスクにおける前記試薬容器の載置位置を示す画像を生成し、前記表示手段が前記画像を表示する、
ことを特徴とする請求項１又は請求項２に記載の自動分析装置。
【請求項８】
前記載置部又は試薬ディスクに載置される前記試薬容器の載置位置に関して、特定載置位置を設定する特定載置位置設定手段を備え、
前記移動手段は、前記載置部又は試薬ディスクにおける前記試薬容器の載置位置を示す画像と前記特定載置位置とが一致するよう、前記載置部又は試薬ディスクを移動させる、
ことを特徴とする請求項１又は請求項２に記載の自動分析装置。
【請求項９】
前記載置部又は前記試薬ディスクに載置される前記試薬容器に付帯する試薬情報を取得する試薬情報取得手段を備え、
前記画像生成手段は、前記試薬情報を示す画像を移動後の前記載置部又は前記試薬ディスクにおける前記試薬容器の載置位置に一致する画像に重畳する複合画像を生成し、
前記表示手段は、前記複合画像を表示画面に表示する表示手段と、
をさらに備えたことを特徴とする請求項１又は請求項２に記載の自動分析装置。
【請求項１０】
前記試薬情報は、前記試薬容器の形状およびサイズに関する情報を有していることを特徴とする請求項９に記載の自動分析装置。
【発明の詳細な説明】
【技術分野】
【０００１】
本発明の実施形態は、自動分析装置に係り、特に試薬庫内への試薬容器の設置作業の効率化を図る自動分析装置に関する。
【背景技術】
【０００２】
従来、自動分析装置においては、患者の血清などの検体試料の濃度を定量化するために、特定の測定項目に対応した試薬をその検体試料に分注、添加し、その反応過程を観測することにより各測定項目の濃度値を計算している。
【０００３】
自動分析装置は試薬ディスク上に試薬の入った試薬容器の収納箇所が設けられた試薬庫を備える。試薬の分注が必要な場合には、試薬ディスクを回転させ、分注点に試薬容器を移動させ、その試薬容器に入っている試薬を試薬アームにより必要な量だけ吸引し、反応管に分注する。
【０００４】
また、試薬アームに備えられる試薬プローブの先端には試薬容器内の試薬の液面を検知するための液面センサが設けられており、この液面センサにより試薬の液面を検知した時点で試薬アームの下降動作を停止させ、その下降量に基づいて試薬容器内の試薬の残量が計算される（例えば、特許文献１参照。）。
【０００５】
この試薬残量は、試薬位置情報（例えば、試薬庫の番号、試薬容器の位置番号）とともに試薬情報として表示部に表示される。
【０００６】
従来、試薬の残量不足等により試薬容器を交換する際、操作者は表示部に表示される試薬位置情報と試薬庫に設けられる試薬ディスク上の試薬容器とを相互に確認しながら、目的の試薬容器の交換を行っている。
【先行技術文献】
【特許文献】
【０００７】
【特許文献１】特開２００６−２７５９６２号公報
【発明の概要】
【発明が解決しようとする課題】
【０００８】
しかしながら、試薬の分注により試薬ディスクが回転されるにも関わらず、表示部に表示される試薬位置情報には試薬ディスクの動きが反映されないため、試薬容器交換時に、表示部に表示される試薬容器の位置と、試薬ディスク上の試薬容器の位置とが一致しない。そのため、試薬容器の設置に支障をきたす。
【０００９】
更に近年は、測定技術の進歩とともに、測定可能な測定項目の数も増加しており、それに応じて試薬庫内にもより多くの試薬容器を収納可能であることが求められている。従って、試薬容器の交換作業は操作者に更なる負担をもたらすと考えられる。
【００１０】
本発明は、このような事情を考慮してなされたものであり、その目的とするところは、試薬容器の設置作業の効率を上げることを可能とする自動分析装置を提供することである。
【課題を解決するための手段】
【００１１】
本実施形態に係る自動分析装置は、試薬を収納する試薬容器を載置する載置部と、前記載置部における前記試薬容器の載置位置を表示する画像を生成する画像生成手段と、前記画像を表示画面に表示する表示手段と、前記載置部を移動させる移動手段と、前記載置部における前記試薬容器の載置位置と前記画像が表示する前記載置部における前記試薬容器の載置位置が一致するように前記載置部を移動させる移動制御手段と、を具備する。
【図面の簡単な説明】
【００１２】
【図１】本発明の実施例１における自動分析装置の全体構成を示す図。
【図２】本発明の実施例１における自動分析装置の全体構成を示すブロック図。
【図３】本発明の実施例１における自動分析装置が有する表示部が表示画面に表示する試薬容器位置画像の例を示す図。
【図４】本発明の実施例１における自動分析装置の操作及び動作を示すフローチャート。
【図５】本発明の実施例１における自動分析装置において、試薬容器位置画像および実際の試薬ディスク上の試薬容器位置を同期させるための各種動作モードの選択画面の例を示す図。
【図６】本発明の実施例１における自動分析装置において、試薬ディスクの回転に対応した試薬容器位置画像の更新の例を示す図。
【図７】本発明の実施例１における自動分析装置が有する表示部が表示画面に表示する試薬容器位置画像に対して、試薬ディスク上に設置される試薬容器の試薬情報を貼付する例を示す図。
【図８】本発明の実施例１における自動分析装置の操作及び動作を示すフローチャート。
【図９】本発明の実施例１における自動分析装置の操作及び動作を示すフローチャート。
【図１０】本発明の実施例１及び実施例２における自動分析装置が有する、各種試薬容器の情報を表すテーブルの例を示す図。
【図１１】本発明の実施例１の変形例１における自動分析装置の操作及び動作を示すフローチャート。
【図１２】本発明の実施例１の変形例１における自動分析装置の操作及び動作を示すフローチャート。
【図１３】本発明の実施例１の変形例２における自動分析装置の全体構成を示すブロック図。
【図１４】本発明の実施例１の変形例２における自動分析装置の操作及び動作を示すフローチャート。
【図１５】本発明の実施例２における自動分析装置の全体構成を示すブロック図。
【図１６】本発明の実施例２における自動分析装置において、試薬容器位置画像および実際の試薬ディスク上の試薬容器位置を同期させるための各種動作モードの選択画面の例を示す図。
【図１７】本発明の実施例２における自動分析装置の操作及び動作を示すフローチャート。
【図１８】本発明の実施例２の変形例における自動分析装置の全体構成を示すブロック図。
【図１９】本発明の実施例２の変形例における自動分析装置の操作及び動作を示すフローチャート。
【発明を実施するための形態】
【００１３】
以下、図面を参照して本発明の実施例を図１乃至図２０を参照して説明する。
【実施例１】
【００１４】
本実施例では、自動分析装置１００に設けられる試薬ディスク７１ａ、７１ｂに載置される試薬容器６の位置（図１、図２参照）と、表示部１５に表示される試薬容器位置画像１５１ａ、１５１ｂ（図３参照）が示す試薬容器６の位置とを対応させるように、試薬ディスク７１ａ、７１ｂの回転位置情報に基づいて画像の更新を行って同期させる例について、図１乃至図１１を用いて説明を行う。
【００１５】
尚、本発明において「同期させる」とは、所定のタイミングにおいて、試薬ディスク７１ａ、７１ｂ上の試薬容器６の位置と表示部１５に表示される試薬容器６の位置とが、操作者から見て一致している状態になるよう、表示される試薬容器位置画像１５１ａ、１５１ｂを更新する、または試薬ディスク７１ａ、７１ｂを回転させる、或いはその両方を行なうことを示す。
【００１６】
（構成）
まず、本実施例における自動分析装置１００の概略構成につき、図１、図２を用いて説明する。
【００１７】
図１は自動分析装置１００の構成を示す図であり、図２は自動分析装置１００の構成を示すブロック図である。本実施例の自動分析装置１００は、測定対象となる検体試料が入っている複数の試料容器１を収納する試料収納ラック２と、複数の反応管３を収納した反応ディスク４と、試料容器１に入っている検体試料を吸引して反応管３に分注するサンプリングアーム５と、検体試料の測定に使用される試薬が入っている複数の試薬容器６をそれぞれ載置し、回転動作可能な試薬ディスク７１ａ、７１ｂを有する試薬庫７ａ、７ｂと、試薬ディスク７１ａ、７１ｂを回転動作させる回転駆動部８を備える。
【００１８】
また、自動分析装置１００は、試薬容器６に貼付された試薬情報を含むバーコードラベルを読み取り、読み取った試薬情報と試薬ディスク７１ａ、７１ｂ上の試薬容器６の位置情報とを後述する記憶部１７に送るバーコードリーダ（図示しない）と、試薬容器６に収納される試薬を吸引して反応管３に分注する試薬アーム９を備える。
【００１９】
更に、自動分析装置１００は、反応管３内の検体試料および試薬からなる反応液を撹拌する攪拌部１０と、反応管３内の反応液に対して吸光度の測定を行う測光ユニット１１と、検体試料の電解質測定用の電極ユニット１２と、反応管３を洗浄する洗浄ユニット１３を備える。
【００２０】
更に、自動分析装置１００は、試薬の種類や試薬残量情報、試薬が不足している、または試薬がないなどの情報を画像化する画像生成部１４と、ＣＲＴ（ブラウン管）ディスプレイや液晶ディスプレイ（ＬＣＤ）などの表示画面１５１（図３参照）を有し、画像生成部１４により生成された画像を表示画面１５１に表示する表示部１５と、キーボード、マウスなどにより構成され、操作者が種々の指示情報を入力するための入力部１６と、前述のバーコードリーダから送られる試薬ディスク７１ａ、７１ｂ上での試薬容器６の位置情報や、前述の試薬アーム９により計測される試薬残量情報などを記憶する記憶部１７と、前述した各ユニットの動作を制御し、ＣＰＵとメモリを有する制御部１８を備えている。
【００２１】
次に、前述の各ユニットに関する詳細な説明を行う。
【００２２】
試薬ディスク７１ａ、７１ｂ上には図１に示すように、内側と外側にそれぞれ試薬容器６の設置場所が複数設けられる。また、試薬ディスク７１ａ、７１ｂは内側と外側の試薬容器６の設置場所をそれぞれ独立に回転できる機構を有している。
【００２３】
尚、本実施例において試薬ディスク７１ａ、７１ｂは前述のように設置場所が二重に設けられているが、本発明はこれに限定されず、設置場所は三重以上でも、又は一重に設けられても構わない。
【００２４】
回転駆動部８は、入力部１６より入力される測定項目の設定に基づき、所望の試薬容器６から試薬アーム９によって試薬を吸引するために試薬ディスク７１ａ、７１ｂを回転させ、試薬分注位置までその試薬容器６を移動させる。このとき、回転駆動部８は試薬ディスク７１ａ、７１ｂを同時に、またそれぞれ独立に回転可能である。
【００２５】
記憶部１７は、バーコードリーダによって試薬容器６に貼付されたその試薬の試薬情報を含むバーコードラベルから読み取った試薬情報と、試薬ディスク７１ａ、７１ｂ上の試薬容器６の位置情報とを対応付けられた試薬容器位置情報を記憶する。
【００２６】
入力部１６は、試薬容器６にバーコードラベルが貼付されていない試薬容器６の試薬情報を入力する機能を有する。また入力部１６は、分注作業の中断を制御部１８に指示する中断ボタン（図示しない）、表示部１５に表示される試薬容器位置画像１５１ａ、１５１ｂを更新するよう制御部１８に指示する画像更新ボタン（図示しない）を有している。
【００２７】
更に、入力部１６は試薬ディスク７１ａ、７１ｂ上の試薬容器６の位置と表示部１５に表示される試薬容器位置画像１５１ａ、１５１ｂとを同期させるための動作モードとして画像更新モードを選択することができ、更には画像更新モードから特定タイミングモードを選択できる。（図５参照。）。
【００２８】
画像更新モードでは、試薬容器位置画像１５１ａ、１５１ｂの更新により、試薬ディスク７１ａ、７１ｂ上の試薬容器６の位置と表示部１５が表示する試薬容器位置画像１５１ａ、１５１ｂとを同期させる。
【００２９】
また、特定タイミングモードでは、一つの測定項目に関して試薬の分注が終了後、その分注作業の中断時、または操作者の所望のタイミングで画像生成部１４および表示部１５が試薬容器位置画像１５１ａ、１５１ｂを更新する。
【００３０】
試薬アーム９は試薬分注位置に移動した試薬容器６に対し、その中の試薬を吸引し、吸引した試薬を検体試料が入っている反応管３に分注する。この時、試薬アーム９は先端に備えられる試薬プローブ９１を試薬容器内に下降させる。試薬プローブ９１の先端部には液面センサ（図示しない）が設けられており、この液面センサにより試薬の液面を検知すると、試薬プローブ９１の下降を停止し、その下降量に基づいて試薬容器６に含まれる試薬残量を計算する。計算された試薬残量情報は記憶部１７に記憶される。
【００３１】
画像生成部１４は図２に示すように試薬位置調節部１４１を備えている。試薬位置調節部１４１は、バーコードリーダにより取得され、記憶部に記憶される分注作業開始前（初期状態）の試薬ディスク７１ａ、７１ｂ上の試薬容器６の位置情報と、試薬ディスク７１ａ、７１ｂの回転時に回転駆動部８に送られる指示信号が有するパルス数（試薬ディスク７１ａ、７１ｂの回転移動情報）とを用いて、回転後の試薬ディスク７１ａ、７１ｂ上の試薬容器６の位置を認識する。その新たな試薬容器位置情報に基づいて、試薬位置調節部１４１はその時点での試薬ディスク７１ａ、７１ｂ上の試薬容器６の位置に対応した試薬容器位置画像１５１ａ、１５１ｂを生成し、その画像を表示部１５へ送る。
【００３２】
この試薬位置調節部１４１の動作により、試薬容器位置画像１５１ａ、１５１ｂは更新され、試薬ディスク７１ａ、７１ｂ上の試薬容器の位置と表示部１５が表示する試薬容器位置画像１５１ａ、１５１ｂを同期させる。
【００３３】
図３は検体試料１に対する測定項目のオーダー後、表示画面１５１に表示される試薬容器の位置情報を試薬容器位置画像１５１ａ、１５１ｂで、またその試薬容器６内の試薬に対応する測定項目、測定可能な残りの分注回数、および試薬残量に関する情報を情報テーブル１５１ｃで表示する例を示している。
【００３４】
表示部１５は、前述の画像生成部１４から送られる試薬容器位置画像１５１ａ、１５１ｂおよびその他の画像を図３に示すように表示画面１５１に表示する。
【００３５】
尚、図３における試薬容器位置画像１５１ａ、１５１ｂにおける斜線部分は試薬容器６が設置されている箇所を示している。
【００３６】
（動作）
以上のように構成された自動分析装置１００の動作について図１乃至図１１を用いて説明する。
【００３７】
ここでは、試薬の分注終了後に表示部１５に表示される試薬容器位置画像１５１ａ、１５１ｂを実際の試薬ディスク７１ａ、７１ｂ上の試薬容器６の位置に同期させる動作の例に関して説明する。
【００３８】
図４は本実施例における自動分析装置１００の操作および動作を示すフローチャートである。また、この測定では複数の検体に対して一つの測定項目（本実施例では測定項目Ａとする）を適用する場合について述べる。
【００３９】
図５は本実施例における自動分析装置において、試薬容器位置画像１５１ａ、１５１ｂおよび実際の試薬ディスク７１ａ、７１ｂ上の試薬容器位置を同期させるための各種動作モードの選択画面の例を示している。
【００４０】
操作者は図５に示すように検体試料の測定前にあらかじめ入力部１６より、試薬容器位置画像１５１ａ、１５１ｂと実際の試薬ディスク７１ａ、７１ｂ上の試薬容器６の位置との同期に関する動作モードを画像更新モードに、更に画像更新モードから特定タイミングモードを選択して、制御部１８はその情報に基づいて設定を行う（図４のステップＳ１）。
【００４１】
また、前述の動作モードに設定されると、制御部１８はバーコードリーダに、試薬ディスク７１ａ、７１ｂ上に設置される試薬容器６に貼付される試薬情報を含むバーコードラベルを読み取り、読み取った試薬情報と試薬ディスク７１ａ、７１ｂ上の試薬容器６の位置情報とを記憶部１７に送るよう指示する。バーコードリーダは制御部１８の指示に基づき、その動作を実行する。
【００４２】
その後、操作者は入力部１６より測定項目Ａを設定し、測定項目Ａに対応する試薬を検体試料が含まれる反応管３に分注、測定作業を開始させる（図４のステップＳ２）。
【００４３】
その後、試薬ディスク７１ａ、７１ｂ上に設置される試薬容器６からそれぞれ反応管３に試薬が分注される。その際、制御部１８は記憶部１７に保存される試薬ディスク７１ａ、７１ｂ上の試薬容器６の位置情報に基づいて回転駆動部８に試薬ディスク７１ａ、７１ｂの回転移動を指示する。回転駆動部８は制御部１８からの指示に基づき、試薬ディスク７１ａ、７１ｂを回転動作させ、所望の試薬容器６を試薬分注位置に移動させる。そして、試薬アーム９はその試薬容器６から試薬を吸引し、反応管３内に分注する。
【００４４】
また、回転動作実行毎に制御部１８から回転駆動部８に送られる指示信号に含まれる試薬ディスク７１ａ、７１ｂの移動情報を記憶部１７に記憶し、その移動情報を随時更新する。
【００４５】
その後、測定項目Ａに関して、反応管３に試薬を分注する作業が終了する（図４のステップＳ３）。
【００４６】
分注作業終了後、制御部１８はその時点での試薬ディスク７１ａ、７１ｂ上の試薬容器位置を認識する（図４のステップＳ４）。
【００４７】
このとき、分注作業開始前にバーコードリーダから記憶部１７に記憶された試薬情報に対応付けられる試薬ディスク７１ａ、７１ｂ上の試薬容器６の位置情報および分注作業中の試薬ディスク７１ａ、７１ｂの移動情報より、制御部１８は分注作業終了時の試薬ディスク７１ａ、７１ｂ上の試薬容器位置を認識し、その試薬容器位置情報を試薬位置調節部に送る。
【００４８】
制御部１８によって送られる試薬容器位置情報に基づき、試薬位置調節部１４１はその時点での試薬ディスク７１ａ、７１ｂ上の試薬容器位置に対応した試薬容器位置画像１５１ａ、１５１ｂを生成する（図４のステップＳ５）。
【００４９】
画像生成部１４はその試薬容器位置画像１５１ａ、１５１ｂを表示部１５に送り、表示部１５はその試薬容器位置画像１５１ａ、１５１ｂを図６に示すように表示する（図４のステップＳ６）。
【００５０】
また、前述のように試薬位置調節部１４１による試薬容器位置画像１５１ａ、１５１ｂの生成は分注作業の終了時に行うことに限らず、分注作業中に試薬ディスク７１ａ、７１ｂが回転移動する度に、又はある一定の期間毎に、表示部１５が試薬容器位置画像１５１ａ、１５１ｂを表示できるよう、試薬位置調節部１４１は試薬ディスク７１ａ、７１ｂ上の試薬容器６の位置と一致する試薬容器位置画像１５１ａ、１５１ｂを生成する。
【００５１】
図６は本実施例において、試薬ディスクの回転に対応した試薬容器位置画像１５１ａ、１５１ｂの更新の例を示しており、試薬容器位置画像１５１ａ、１５１ｂには図６に示すように試薬庫内位置番号を貼付することで試薬容器位置を区別する。
【００５２】
また、図６においては試薬ディスク７１ａ、７１ｂ上における試薬容器位置画像１５１ａ、１５１ｂを同時に更新しているが、一方しか回転により試薬容器位置が変更していない場合には、試薬容器位置が変更している側の画像のみを更新してもよい。
【００５３】
また、図７は本実施例における自動分析装置が有する表示部が表示画面に表示する試薬容器位置画像１５１ａ、１５１ｂに対して、試薬ディスク７１ａ、７１ｂ上に設置される試薬容器６の試薬情報を貼付する例を示しており、表示部１５が示す試薬容器位置画像１５１ａ、１５１ｂに関して、図６のように画像に対して試薬庫内位置番号を貼付するだけでなく、図７に示すように、試薬容器６の試薬残量、試薬容器の形状・サイズなど、各種試薬情報を試薬容器位置画像１５１ａ、１５１ｂに貼付してもよい。
【００５４】
尚、図７の試薬容器位置画像１５１ａ、１５１ｂの表示に関して、試薬容器６の形状はＡ−４、Ｃ−３、Ｄ−１３のように表示される場合は丸形容器を、それ以外は通常容器を示す。また、試薬容器６のサイズはＡ−９、Ｃ−７、Ｄ−３のように表示される場合は２０ｍｌ、それ以外は９０ｍｌであることを示す。
【００５５】
尚、図７の試薬容器位置画像１５１ａ、１５１ｂ上に表示可能な試薬容器６の形状は通常と丸形に限らず、特殊な形状の試薬容器６を表す場合には、その試薬容器６に対して図７に示す通常容器と丸形容器を示す表示と区別可能な異なる表示を行うことも可能である。
【００５６】
以上が試薬の分注終了後における試薬容器位置画像１５１ａ、１５１ｂを更新する動作の説明である。しかし、画像更新のタイミングはこれに限定されるものではない。
【００５７】
例えば、分注作業中に緊急に検査が必要な検体試料がある場合、分注作業を一旦中断し、緊急の検査に必要な試薬容器６を新たに設置することがあり、その時点での試薬ディスク７１ａ、７１ｂ上の試薬位置画像を表示する必要がある。その場合における動作に関して図８を用いて説明する。
【００５８】
尚、図８のステップＳ１およびステップＳ２は前述の図４のステップＳ１およびステップＳ２と同様であるため、説明を省略し、図８のステップＳ３以降の説明を行う。
【００５９】
分注作業中に操作者が入力部１６に設けられる中断ボタン（図示しない）を押す。指示信号が制御部１８から回転駆動部８に送られ、その指示信号に従い、回転駆動部８は試薬ディスク７１ａ、７１ｂの回転を停止し、試薬アーム９は試薬の分注作業を中断する（図８のステップＳ３）。
【００６０】
尚、中断ボタンを押した時点で、検体試料のみが分注された反応管３がある場合、その反応管３に対する試薬の分注を終えてから回転駆動部８は試薬ディスク７１ａ、７１ｂを停止させる。
【００６１】
分注作業中断後、制御部１８はその時点での試薬ディスク７１ａ、７１ｂ上の試薬容器位置を認識する（図８のステップＳ４）。
【００６２】
制御部１８によって認識された試薬容器位置のデータに基づき、試薬位置調節部１４１はその時点での試薬ディスク７１ａ、７１ｂ上の試薬容器位置に対応した試薬容器位置画像１５１ａ、１５１ｂを生成する（図８のステップＳ５）。
【００６３】
画像生成部１４はその試薬容器位置画像１５１ａ、１５１ｂを表示部１５に送り、表示部１５は図３に示すように試薬容器位置画像１５１ａ、１５１ｂを表示画面１５１に表示する（図８のステップＳ６）。
【００６４】
更に、その他の画像更新のタイミングとして、操作者が入力部６より画像更新を指示するときが挙げられる。その場合における動作に関して図９を用いて説明する。
【００６５】
尚、図９のステップＳ１およびステップＳ２は前述の図４のステップＳ１およびステップＳ２と同様であるため、説明を省略し、図９のステップＳ３以降の説明を行う。
【００６６】
入力部１６に設けられる画像更新ボタン（図示しない）を押し、画像更新の指示信号を制御部１８に送る（図９のステップＳ３）。
【００６７】
制御部１８は入力部１６からの指示信号に基づいて、その時点での試薬ディスク７１ａ、７１ｂ上の試薬容器位置を認識する（図９のステップＳ４）。
【００６８】
制御部１８によって認識された試薬容器位置のデータに基づき、試薬位置調節部１４１はその時点での試薬ディスク７１ａ、７１ｂ上の試薬容器位置に対応した試薬容器位置画像１５１ａ、１５１ｂを生成する（図９のステップＳ５）。
【００６９】
画像生成部１４はその試薬容器位置画像１５１ａ、１５１ｂを表示部１５に送り、表示部１５は図３に示すように試薬容器位置画像１５１ａ、１５１ｂを表示画面１５１に表示する（図９のステップＳ６）。
【００７０】
ここで、試薬容器６のデータを入力する際、バーコードリーダがない、又は試薬容器にバーコードラベルが貼付されていない場合、直接入力部１６より試薬情報を入力することなく試薬情報を登録し、その試薬情報に基づいて処理を行なう例について述べる。本実施例において、制御部１８は試薬情報処理部（図示しない）を、記憶部１７は試薬情報テーブル１７１をそれぞれ設けている。
【００７１】
試薬情報テーブル１７１には、図１０に示すように各種試薬に関して、その試薬ＩＤ、試薬の種類、容器のサイズ（容量）、容器の形状に関する情報を含んでいる。この試薬情報テーブル１７１を参照し、試薬情報処理部は試薬ディスク７１ａ、７１ｂ上に設置される試薬容器６に関する情報を登録する。
【００７２】
また、試薬庫７ａ、７ｂにはそれぞれ蓋（図示しない）が備わっており、その蓋を操作者が開けた時点で回転駆動部８は試薬ディスク７１ａ、７１ｂの回転を停止し、その時点での試薬ディスク７１ａ、７１ｂ上の試薬容器６の位置に対応した試薬容器位置画像１５１ａ、１５１ｂを生成し、表示部１５がそれらの画像を表示してもよい。
【００７３】
また、蓋の開閉スイッチ（図示しない）の押下をトリガーとして回転駆動部８は試薬ディスク７１ａ、７１ｂの回転を停止し、その時点での試薬ディスク７１ａ、７１ｂ上の試薬容器位置に対応した試薬容器位置画像１５１ａ、１５１ｂの生成及び表示の動作を行うようにしてもよい。
【００７４】
（効果）
このような自動分析装置１００により、試薬容器６の設置作業の効率を上げることが可能となる。また、試薬の分注作業の中断時や任意のタイミングに試薬容器位置画像１５１ａ、１５１ｂを更新することで、操作者が試薬容器位置を把握したいときに画像を参照することができる。
【００７５】
また、試薬容器位置画像１５１ａ、１５１ｂに試薬容器６の形状、サイズを示すことで、試薬容器位置画像１５１ａ、１５１ｂに示される形状、サイズの表示を基準に試薬交換を行なうことができ、試薬交換時の取り違えを防止することが可能となる。
【００７６】
また、試薬容器位置画像１５１ａ、１５１ｂに試薬容器６の形状、サイズを示すことで、回転移動後の試薬ディスク７１ａ、７１ｂに試薬容器位置画像１５１ａ、１５１ｂを一致させなくても、試薬容器位置画像１５１ａ、１５１ｂに示される形状、サイズの表示を基準に試薬交換を行なうことができ、試薬交換時の取り違えを防止することが可能となる。
【００７７】
また、中断ボタンを用いることで、分注作業中に緊急の検査が必要な検体試料がある場合、その検査に必要な試薬容器６の設置を容易に行うことが可能となる。
【００７８】
また、画像更新ボタンを用いることで、操作者の所望のタイミングで試薬容器位置画像１５１ａ、１５１ｂの画像更新を行なうことが可能となり、分注作業中に試薬容器６内の試薬残量の把握が容易に行える。
【００７９】
また、自動分析装置１００に図７が示すような試薬情報テーブル１７１を設けることで、バーコードラベルが貼付されていない試薬容器６に関する試薬情報の入力を容易に行うことができる。
【００８０】
（実施例１の変形例１）
実施例１の変形例１では、画像更新を特定のタイミングで行なう実施例１に対して、分注作業中に一定の間隔で自動的に試薬容器位置画像１５１ａ、１５１ｂを更新する変形例について説明する。
【００８１】
（構成）
自動分析装置１００の構成に関する説明は前述の実施例１において行っているため、本実施例において新たな機能を有する入力部１６以外の説明は省略する。
【００８２】
この変形例において、入力部１６は実施例１の場合と同様に試薬ディスク７１ａ、７１ｂ上の試薬容器位置と表示部１５に表示される試薬容器位置画像１５１ａ、１５１ｂとを同期させるための動作モードとして画像更新モードを選択することができ、更には画像更新モードから特定タイミングモードを選択できる。更にこの変形例では、画像更新モードから新たに一定時間モード、回転回数モードを選択できる。
【００８３】
ここではまず、一定の時間毎に画像更新を行なう場合について図１１を用いて説明する。
【００８４】
図１１は実施例１の変形例１における自動分析装置１００の操作及び動作を示すフローチャートである。
【００８５】
操作者は図５に示すように検体試料の測定前にあらかじめ入力部１６より動作モードを画像更新モードに、更に画像更新モードから一定時間モードに設定する（図１１のステップＳ１）。
【００８６】
尚、あらかじめ画像更新の時間間隔を設定しておく。本実施例ではその時間をＸ分と定める。時間間隔のデータは記憶部１７に送られ、保存される。
【００８７】
その後、操作者は、入力部１６より所望の測定項目を設定し、検体試料に対して分注、測定作業を開始させる（図１１のステップＳ２）。
【００８８】
検体試料への試薬の分注開始後、制御部１８は時間の計測を開始し、先ほど設定した時間の経過を判断する（図１１のステップＳ３）。
【００８９】
設定時間（本実施例ではＸ分）が経過する毎に、制御部１８はその時点での試薬ディスク７１ａ、７１ｂ上の試薬容器位置を認識する（図１１のステップＳ４）。
【００９０】
制御部１８によって認識された試薬容器位置のデータに基づき、試薬位置調節部１４１はその時点での試薬ディスク７１ａ、７１ｂ上の試薬容器位置に対応した試薬容器位置画像１５１ａ、１５１ｂを生成する（図１１のステップＳ５）。
【００９１】
画像生成部１４はその試薬容器位置画像１５１ａ、１５１ｂを表示部１５に送り、表示部１５は図３に示すように試薬容器位置画像１５１ａ、１５１ｂを表示部１５に表示する（図１１のステップＳ６）。
【００９２】
尚、分注終了後には、実施例１の分注終了後のタイミングでの画像更新作業と同様の処理を行ない、試薬容器位置画像１５１ａ、１５１ｂの更新を行う。
【００９３】
次に、試薬ディスク７１ａ、７１ｂの一定の回転移動回数毎に画像更新を行なう場合について、図１２の自動分析装置１００の操作及び動作を示すフローチャートを用いて説明する。
【００９４】
操作者は図５に示すように検体試料の測定前にあらかじめ入力部１６より動作モードを画像更新モードに、更に画像更新モードから回転回数モードに設定する（図１２のステップＳ１）。
【００９５】
尚、あらかじめ画像更新を行なうタイミングの目安となる試薬ディスク７１ａ、７１ｂの回転移動回数を設定しておく。ここで、回転移動回数とは試薬ディスク７１ａ、７１ｂが回転駆動部８により回転動作を行った回数を示す。本実施例ではその回転移動回数をＹ回と定める。この回転回数のデータは記憶部１７に送られ、保存される。
【００９６】
その後、操作者は、入力部１６より所望の測定項目を設定し、検体試料に対して分注、測定作業を開始させる（図１２のステップＳ２）。
【００９７】
検体試料への試薬の分注開始後、制御部１８は試薬ディスク７１ａ、７１ｂの回転移動回数を開始し、先ほど設定した回転移動回数に達したかどうかを判断する（図１２のステップＳ３）。
【００９８】
設定した回転移動回数（本実施例ではＹ回）試薬ディスク７１ａ、７１ｂが回転移動する毎に、制御部１８はその時点での試薬ディスク７１ａ、７１ｂ上の試薬容器位置を認識する（図１２のステップＳ４）。
【００９９】
尚、設定した回転移動回数に達したかどうかの判断に関しては、本実施例では試薬ディスク７１ａ、７１ｂともに達した時点で試薬容器位置の認識の動作およびステップＳ５以降の動作に移るが、これに限定されず、試薬ディスク７１ａ、７１ｂの内どちらか一方が達した時点でも構わない。
【０１００】
制御部１８によって認識された試薬容器位置のデータに基づき、試薬位置調節部１４１はその時点での試薬ディスク７１ａ、７１ｂ上の試薬容器位置に対応した試薬容器位置画像１５１ａ、１５１ｂを生成する（図１２のステップＳ５）。
【０１０１】
尚、前述の図１１のステップＳ４において、試薬ディスク７１ａ、７１ｂの内どちらか一方があらかじめ設定した回転移動回数だけ移動した時点で試薬ディスク７１ａ、７１ｂ上の試薬容器位置の認識を行う場合、試薬容器位置画像１５１ａ、１５１ｂも回転移動回数に達した側の画像のみを更新するように画像を生成する。
【０１０２】
画像生成部１４はその試薬容器位置画像１５１ａ、１５１ｂを表示部１５に送り、表示部１５は図３に示すように試薬容器位置画像１５１ａ、１５１ｂを表示画面１５１に表示する（図１２のステップＳ６）。
【０１０３】
尚、試薬ディスク７１ａ、７１ｂの回転移動に応じて画像更新のタイミングを決定する方法はこれに限らず、例えば、試薬ディスク７１ａ、７１ｂのホームポジションから一定角度以上、試薬ディスク７１ａ、７１ｂが回転移動した時点で画像更新を行なってもよい。
【０１０４】
ここで、「ホームポジション」とは、試薬ディスク７１ａ、７１ｂに関する特定の回転位置のことを指し、例えば図６中の試薬容器位置画像１５１ａ、１５１ｂと同一位置に試薬容器が配置される試薬ディスク７１ａ、７１ｂの回転位置をホームポジションとする。
【０１０５】
（効果）
このような自動分析装置１００により、試薬容器６の設置作業の効率を上げることが可能となり、また、試薬の分注終了後や一定の時間間隔、回転移動回数で試薬容器位置画像１５１ａ、１５１ｂを自動更新することで、手動による操作を行なうことなく、操作者が試薬容器６の位置を把握することができる。更に、試薬容器位置画像１５１ａ、１５１ｂを更新することで、実際の試薬ディスク７１ａ、７１ｂを回転させるためにかかる時間を省くことができる。
【０１０６】
（実施例１の変形例２）
実施例１の変形例２では、画像更新を特定のタイミングで行なう実施例１に対して、分注作業中に一定の間隔で自動的に試薬容器位置画像１５１ａ、１５１ｂを更新する変形例について説明する。
【０１０７】
（構成）
自動分析装置１００の構成に関する説明は前述の実施例１、実施例２において行っているため、本実施例において新たに入力部１６に設けられるフィードスイッチ１６２以外の説明は省略する。
【０１０８】
尚、この変形例では、制御部１８は回転駆動制御部１８１を、画像生成部１４は試薬位置調節部１４１をそれぞれ有している。
【０１０９】
本実施例では図１３に示すように、試薬容器６を試薬ディスク７１ａ、７１ｂに設置する場合に、操作者が作業しやすい位置に試薬容器６を移動させるためのフィードスイッチ１６２を試薬ディスク７１ａ、７１ｂの近傍に配置する。
【０１１０】
フィードスイッチ１６２は制御部１８の回転駆動制御部１８１に指示を送り、その指示に基づく回転駆動制御部１８１からの制御信号を受け、回転駆動部８は試薬ディスク７１ａ、７１ｂを回転させる。
【０１１１】
また、試薬位置調節部１４１は、回転駆動制御部１８１から試薬ディスク７１ａ、７１ｂの回転情報を受け、その情報に基づいて試薬容器６の位置情報に関する画像を生成する。
【０１１２】
（動作）
以上のように構成された自動分析装置１００の動作について説明する。
【０１１３】
ここでは、試薬の分注終了後に実際の試薬ディスク７１ａ、７１ｂ内における試薬容器位置をフィードスイッチ１６２を用いて所望の位置に回転させ、その回転後の位置に表示部１５が表示する試薬容器位置を同期させる動作の例に関して図１４を用いて説明する。
【０１１４】
図１４は実施例１の変形例１における自動分析装置１００の操作及び動作を示すフローチャートである。また、この測定では複数の検体に対して一つの測定項目（ここでは測定項目Ａとする）を適用する場合について述べる。
【０１１５】
操作者は検体試料の測定前にあらかじめ入力部１６より動作モードを試薬庫移動モードに、更に試薬ディスク移動モードを試薬ディスクマニュアル移動モードに設定する（図１４のステップＳ１）。その後、操作者は、入力部１６より所望の測定項目Ａを設定し、検体試料に対して分注、測定作業を開始させる（図１４のステップＳ２）。
【０１１６】
測定項目Ａに関して、検体試料を含む反応管３に試薬を分注する作業が終了する（図１４のステップＳ３）。操作者は、フィードスイッチ１６２を用いて試薬ディスク７１ａ、７１ｂを回転させ、所望の位置まで移動させる（図１４のステップＳ４）。フィードスイッチ１６２による試薬ディスク７１ａ、７１ｂの移動の終了後、制御部１８はその時点での試薬ディスク７１ａ、７１ｂ上の試薬容器位置を認識する（図１４のステップＳ５）。回転駆動制御部１８１はその試薬容器位置に基づいて、移動後の試薬ディスク７１ａ、７１ｂと同一位置の試薬容器位置画像１５１ａ、１５１ｂを生成する（図１４のステップＳ６）。再度生成された試薬容器位置画像１５１ａ、１５１ｂは表示部１５に送られ、表示画面１５１に表示される（図１４のステップＳ７）。
【０１１７】
尚、試薬ディスク７１ａ、７１ｂの移動はフィードスイッチ１６２を用いて行うことに限らず、分注アームからの試薬残量情報に基づき、試薬不足のため、試薬交換が必要とされる試薬容器６を、操作者が交換しやすい位置（例えば操作者に対して手前側）に移動するよう、回転駆動部８が試薬ディスク７１ａ、７１ｂを回転移動させ、その後、試薬容器位置画像１５１ａ、１５１ｂをその試薬ディスク７１ａ、７１ｂ上における試薬容器位置に同期するよう、試薬位置調節部１４１が調節を行い、表示部１５が調節された試薬容器位置画像１５１ａ、１５１ｂを表示してもよい。
【０１１８】
また、前述の動作では、試薬の分注終了後に表示される試薬容器位置画像１５１ａ、１５１ｂを更新しているが、画像更新のタイミングはこれに限定されるものではない。
【０１１９】
例えば、分注作業中に緊急に検査が必要な検体試料がある場合、分注作業を一旦中断し、緊急の検査に必要な試薬容器６を新たに設置することがあり、そのときに一旦実際の試薬ディスク７１ａ、７１ｂ上における試薬容器位置をフィードスイッチ１６２を用いて所望の位置に回転移動させ、その回転移動後の位置に表示部１５が表示する試薬容器位置画像１５１ａ、１５１ｂを同期させた後、試薬容器６の設置を行う。
【０１２０】
（効果）
このような自動分析装置により、試薬容器６の設置作業の効率を上げることが可能となる。また、フィードスイッチ１６２により、操作者が所望の位置まで試薬ディスク７１ａ、７１ｂ上の試薬容器位置を移動させ、更に試薬容器位置画像１５１ａ、１５１ｂをその位置に同期させることで、操作者は交換等の必要な試薬容器６の位置を容易に把握することができる。
【実施例２】
【０１２１】
本実施例では、自動分析装置１００側の試薬容器位置を画面上の試薬容器位置に対応させ、試薬ディスク７１ａ、７１ｂを回転させて、自動分析装置１００の試薬ディスク７１ａ、７１ｂ上の試薬容器位置と表示画面１５１上の試薬容器位置とを同期させる例について説明する。
【０１２２】
（構成）
自動分析装置１００の構成に関する説明は前述の実施例１において行っているため、本実施例において新たな機能を有する制御部１８以外の説明は省略する。
【０１２３】
尚、実施例１において試薬位置調節部１４１を有していた画像生成部１４に関しては、本実施例では試薬位置調節部１４１を有さなくてもよい。
【０１２４】
本実施例では図１５に示すように、制御部１８は回転駆動制御部１８１を備えている。
【０１２５】
回転駆動制御部１８１は試薬ディスク７１ａ、７１ｂ上の試薬容器位置をホームポジションに戻すよう、回転駆動部８に指示する。
【０１２６】
本実施例において「ホームポジション」とは、実施例１の変形例１の場合と同様の定義である。
【０１２７】
（動作）
以上のように構成された自動分析装置１００の動作について説明する。
【０１２８】
ここでは、試薬の分注終了後に実際の試薬ディスク７１ａ、７１ｂ上の試薬容器位置をホームポジションに戻す動作の例に関して図１７を用いて説明する。また、この測定では複数の検体に対して一つの測定項目（ここでは測定項目Ａとする）を適用する場合について述べる。
【０１２９】
操作者は図１６に示すように、検体試料の測定前にあらかじめ入力部１６より動作モードを試薬庫移動モードに、更に試薬庫移動モードをホームポジションモードに設定する（図１７のステップＳ１）。その後、操作者は、入力部１６より所望の測定項目Ａを設定し、検体試料に対して分注、測定作業を開始させる（図１７のステップＳ２）。測定項目Ａに関して、検体試料を含む反応管３に試薬を分注する作業が終了する（図１７のステップＳ３）。制御部１８はその時点での試薬ディスク７１ａ、７１ｂ上の試薬容器位置を認識する（図１７のステップＳ４）。回転駆動制御部１８１はその試薬容器位置に基づいて、ホームポジションに試薬ディスク７１ａ、７１ｂを回転させるよう回転駆動部８に指示する。その指示に基いて回転駆動部８は試薬ディスク７１ａ、７１ｂを回転移動させ、ホームポジションに移動させる（図１７のステップＳ５）。
【０１３０】
このようにして、試薬ディスク７１ａ、７１ｂ上の試薬容器位置と、試薬容器位置画像１５１ａ、１５１ｂとを同期させる。前述の動作では、試薬の分注終了後に、ホームポジションに試薬ディスク７１ａ、７１ｂを回転させるが、そのタイミングはこれに限定されるものではない。
【０１３１】
例えば、分注作業中に緊急に検査が必要な検体試料がある場合、分注作業を一旦中断し、緊急の検査に必要な試薬容器６を新たに設置することがあり、そのときに一旦試薬庫内試薬容器位置をホームポジションに戻し、試薬容器６の設置を行う。
【０１３２】
（効果）
このような自動分析装置１００により、試薬容器６の設置作業の効率を上げることが可能となる。また、試薬ディスク７１ａ、７１ｂをホームポジションに移動させることで、操作者は交換等の必要な試薬容器６の位置を容易に把握することができる。
【０１３３】
（実施例２の変形例）
実施例２の変形例では、自動分析装置１００の試薬ディスク７１ａ、７１ｂ上の試薬容器位置と表示画面１５１上の試薬容器位置とを同期させるために、画面上の試薬容器位置と自動分析装置側の試薬容器位置とを両方動かして、ホームポジションに対応させる例について説明する。
【０１３４】
尚、本実施例における「ホームポジション」とは試薬ディスク７１ａ、７１ｂに関する特定の回転位置を指すが、実施例１の変形例１及び実施例２の場合と異なり、この変形例ではホームポジションを設定することができる。
【０１３５】
（構成）
自動分析装置１００の構成に関する説明は前述の実施例１、実施例２において行っているため、本実施例において新たな機能を有する入力部１６以外の説明は省略する。
【０１３６】
尚、本実施例では、制御部１８は回転駆動制御部１８１を、画像生成部１４は試薬位置調節部１４１をそれぞれ有している。
【０１３７】
本実施例では図１８に示すように、入力部１６は既定位置設定部１６１を備えている。
【０１３８】
既定位置設定部１６１は画面上の試薬容器位置と自動分析装置側の試薬容器位置とを両方動かしてホームポジションに対応させる際、そのホームポジションを設定する機能を有する。既定位置設定部１６１により設定されたホームポジションに同期するよう、回転駆動制御部１８１および試薬位置調節部１４１は作用する。
【０１３９】
（動作）
以上のように構成された自動分析装置１００の動作について図１９を用いて説明する。
【０１４０】
ここでは、試薬の分注終了後、画面上の試薬容器位置と自動分析装置側の試薬容器位置とを両方動かして、ホームポジションに対応させる動作の例に関して説明する。
【０１４１】
また、この測定では複数の検体に対して一つの測定項目（ここでは測定項目Ａとする）を適用する場合について述べる。
【０１４２】
操作者は検体試料の測定前にあらかじめ入力部１６より動作モードを試薬庫移動モードに、更に試薬庫移動モードを試薬庫・画像調節モードに設定する（図１９のステップＳ１）。
【０１４３】
尚、操作者はあらかじめ試薬ディスク７１ａ、７１ｂと試薬容器位置画像１５１ａ、１５１ｂが移動する同一のホームポジションを入力部１６が有する既定位置設定部１６１より設定する。
【０１４４】
その後、操作者は、入力部１６より所望の測定項目Ａを設定し、検体試料に対して分注、測定作業を開始させる（図１９のステップＳ２）。
【０１４５】
測定項目Ａに関して、検体試料を含む反応管３に試薬を分注する作業が終了する（図１９のステップＳ３）。
【０１４６】
制御部１８はその時点での試薬ディスク７１ａ、７１ｂ上の試薬容器位置を認識する（図１９のステップＳ４）。
【０１４７】
回転駆動制御部１８１はその試薬容器位置に基づいて、あらかじめ設定されている既定位置に試薬ディスク７１ａ、７１ｂを回転させるよう回転駆動部８に指示する。その指示に基いて回転駆動部８は試薬ディスク７１ａ、７１ｂを回転させ、既定位置に移動させる（図１９のステップＳ５）。
【０１４８】
また、試薬位置調節部１４１は、あらかじめ設定されている既定位置に合わせて、試薬容器位置画像１５１ａ、１５１ｂを再度生成する（図１９のステップＳ６）。
【０１４９】
再度生成された試薬容器位置画像１５１ａ、１５１ｂは表示部１５に送られ、表示画面１５１に表示される（図１９のステップＳ７）。
【０１５０】
前述の動作では、試薬の分注終了後に表示される試薬位置画像を更新しているが、画像更新のタイミングはこれに限定されるものではない。
【０１５１】
例えば、分注作業中に緊急に検査が必要な検体試料がある場合、分注作業を一旦中断し、緊急の検査に必要な試薬容器６を新たに設置することがあり、そのときに一旦表示画面上の試薬容器位置と自動分析装置側の試薬容器位置とを既定位置設定部１６１により決定されるホームポジションに移動させ、試薬容器６の設置を行う。
【０１５２】
（効果）
このような自動分析装置１００により、試薬容器６の設置作業の効率を上げることが可能となる。また、操作者の所望の位置をあらかじめ入力し、自動的に実際の試薬ディスク７１ａ、７１ｂ上の試薬容器位置の移動および試薬容器位置画像１５１ａ、１５１ｂの更新を行なうことで、操作者は交換等の必要な試薬容器６の位置を容易に把握することができる。
【符号の説明】
【０１５３】
１００ 自動分析装置
７ａ，７ｂ 試薬庫
７１ａ，７１ｂ 試薬ディスク
８ 回転駆動部
９ 試薬アーム
１４ 画像生成部
１４１ 試薬位置調節部
１５ 表示部
１５１ 表示画面
１５１ａ、１５１ｂ 試薬容器位置画像
１６ 入力部
１７ 記憶部
１８ 制御部
【図１】
0005242835.tif 000002
【図２】
0005242835.tif 000003
【図３】
0005242835.tif 000004
【図４】
0005242835.tif 000005
【図５】
0005242835.tif 000006
【図６】
0005242835.tif 000007
【図７】
0005242835.tif 000008
【図８】
0005242835.tif 000009
【図９】
0005242835.tif 000010
【図１０】
0005242835.tif 000011
【図１１】
0005242835.tif 000012
【図１２】
0005242835.tif 000013
【図１３】
0005242835.tif 000014
【図１４】
0005242835.tif 000015
【図１５】
0005242835.tif 000016
【図１６】
0005242835.tif 000017
【図１７】
0005242835.tif 000018
【図１８】
0005242835.tif 000019
【図１９】
0005242835.tif 000020